(57)【特許請求の範囲】
【請求項１】
バッテリのバッテリポストにバッテリ端子を介して接続されるヒュージブルリンクユニットの接続構造であって、
前記バッテリ端子の一端部が前記バッテリポストと固定及び、接続され、平面視において前記バッテリ端子の他端部が前記バッテリポストよりも前記バッテリの内側に配されるとともに、前記ヒュージブルリンクユニットが、前記バッテリポストを覆うように配されて前記バッテリ端子の他端部に接続される接続部を備えたことを特徴とするヒュージブルリンクユニットの接続構造。
【請求項２】
前記接続部から前記バッテリ端子の一端部に向かって突出して設けられ、該バッテリ端子の一端部と当接可能な突部を備えたことを特徴とする請求項１に記載のヒュージブルリンクユニットの接続構造。
【請求項３】
前記接続部から前記バッテリポストに向かって突出して設けられ、該バッテリポストと当接可能な第２の突部を備えたことを特徴とする請求項１または請求項２に記載のヒュージブルリンクユニットの接続構造。
【請求項４】
前記接続部が放熱板を備えたことを特徴とする請求項１ないし請求項３のうちいずれか一項に記載のヒュージブルリンクユニットの接続構造。
【発明の詳細な説明】
【技術分野】
【０００１】
本発明は、バッテリのバッテリポストにバッテリ端子を介して接続されるヒュージブルリンクユニットの接続構造に関する。
【背景技術】
【０００２】
移動体としての自動車には、車体に搭載された様々な電子機器等に電力を供給する電源供給源としてのバッテリが搭載されている。バッテリと、電子機器等に接続された電線とは、例えば、ヒュージブルリンクユニット（ヒューズユニット）を介して接続される。
【０００３】
前述したヒュージブルリンクユニットは、バッテリのバッテリポストにバッテリ端子を介して接続される（例えば、特許文献１及び２参照）。ヒュージブルリンクユニットは、車内に配索された電線に予め接続された後、その後の工程で搭載されるバッテリに接続される。このため、バッテリ端子を介して接続することで、ヒュージブルリンクユニットの配索位置のばらつきやバッテリの取付位置のばらつきに追従しやすくなり、配索性を向上させることができる。また、このバッテリ端子にスターター接続部を設けることもできる。
【０００４】
特許文献１に記載されたヒュージブルリンクユニットは、全体として略Ｌ字状に形成されている。ヒュージブルリンクユニットの一端部には、バッテリ端子のスタッドボルト（スターター接続部）を内部に通す接続孔が設けられている。ヒュージブルリンクユニットの他端部は、前述した一端部と略直交するように設けられている。バッテリ端子の一端部には、内部にバッテリポストを通す接続孔が設けられている。バッテリ端子の他端部には、前述したスタッドボルトが設けられている。
【０００５】
前述したヒュージブルリンクユニットをバッテリに接続する際には、まず、ヒュージブルリンクユニットの他端部に前述した電子機器等に接続された電線を接続する。また、バッテリ端子の接続孔にバッテリポストを通して、バッテリ端子の一端部とバッテリとを接続する。このとき、バッテリ端子の他端部は、バッテリポストよりもバッテリの外方向（バッテリの側面側）に配されている。
【０００６】
その後、ヒュージブルリンクユニットの一端部をバッテリの上面に近づけ、他端部をバッテリの側面に近づけていく。そして、ヒュージブルリンクユニットの接続孔にスタッドボルトを通して、ヒュージブルリンクユニットの一端部とバッテリ端子の他端部とを接続する。
【０００７】
このようにバッテリ端子を介してバッテリに接続されたヒュージブルリンクユニットは、一端部にバッテリからの電力が供給され、他端部に接続された電線に該電力を出力する。ヒュージブルリンクユニットは、それぞれの電子機器等にバッテリからの電力を分配するとともに、該電子機器等に過度な電力が供給されることを防止する。
【特許文献１】特開２００１−２５６８７８号公報
【特許文献２】特開２０００−３３１５９１号公報
【発明の開示】
【発明が解決しようとする課題】
【０００８】
前述したバッテリ端子は、一端部がバッテリポストと接続され、他端部がバッテリポストよりもバッテリの外方向に配されている。そしてこのバッテリ端子の他端部にヒュージブルリンクユニットの一端部が接続され、ヒュージブルリンクユニットの他端部はバッテリの側面側に突出している。このため、バッテリポストと、ヒュージブルリンクユニットの他端部との間の距離が長くなる傾向にあった。
【０００９】
このようにバッテリに接続されたヒュージブルリンクユニットは、自動車等に搭載されると、走行時の振動等の外力によって揺動しやすい。また、バッテリポストがバッテリの上面の端部寄りに設けられたり、ヒュージブルリンクユニットの一端部が長尺に形成されたりすると、ヒュージブルリンクユニットの他端部がさらにバッテリの側面側に突出して前記距離が長くなり、さらにヒュージブルリンクユニットが揺動しやすくなる。
【００１０】
ヒュージブルリンクユニットが揺動すると、バッテリ端子やバッテリポストに集中して応力がかかり、この応力によってバッテリ端子やバッテリポストが折損してしまう虞があった。また、バッテリから分配される回路数が増加してヒュージブルリンクユニットの重量が増加すると、この応力はさらに大きくなり、バッテリ端子やバッテリポストへの負荷が増大する。
【００１１】
また、ヒュージブルリンクユニットが接続されたバッテリを車体に組み付ける際等に、不用意のうちにヒュージブルリンクユニットの他端部に外力がかかることがある。この外力によっても、前述したように、バッテリ端子やバッテリポストに集中して応力がかかり、これらバッテリ端子やバッテリポストが折損してしまう可能性がある。
【００１２】
本発明は、このような問題を解決することを目的としている。即ち、本発明は、ヒュージブルリンクユニットをバッテリポストに近い位置に配して、ヒュージブルリンクユニットに外力がかかっても接続箇所にかかる応力を低減できるヒュージブルリンクユニットの接続構造を提供することを目的としている。
【課題を解決するための手段】
【００１３】
前記課題を解決し目的を達成するために、請求項１に記載された発明は、バッテリのバッテリポストにバッテリ端子を介して接続されるヒュージブルリンクユニットの接続構造であって、前記バッテリ端子の一端部が前記バッテリポストと固定及び、接続され、平面視において前記バッテリ端子の他端部が前記バッテリポストよりも前記バッテリの内側に配されるとともに、前記ヒュージブルリンクユニットが、前記バッテリポストを覆うように配されて前記バッテリ端子の他端部に接続される接続部を備えたことを特徴とするヒュージブルリンクユニットの接続構造である。
【００１５】
請求項２に記載された発明は、請求項１に記載されたヒュージブルリンクユニットの接続構造において、前記接続部から前記バッテリ端子の一端部に向かって突出して設けられ、該バッテリ端子の一端部と当接可能な突部を備えたことを特徴としたヒュージブルリンクユニットの接続構造である。
【００１６】
請求項３に記載された発明は、請求項１または請求項２に記載されたヒュージブルリンクユニットの接続構造において、前記接続部から前記バッテリポストに向かって突出して設けられ、該バッテリポストと当接可能な第２の突部を備えたことを特徴としたヒュージ
ブルリンクユニットの接続構造である。
【００１７】
請求項４に記載された発明は、請求項１ないし請求項３のうちいずれか一項に記載されたヒュージブルリンクユニットの接続構造において、前記接続部が放熱板を備えたことを特徴としたヒュージブルリンクユニットの接続構造である。
【発明の効果】
【００１８】
請求項１に記載された発明によれば、バッテリ端子の一端部がバッテリポストと接続され、平面視において他端部がバッテリポストよりもバッテリの内側に配されるので、バッテリ端子の長さがバッテリポストとヒュージブルリンクユニットの端部との間の距離に影響を及ぼすことがない。したがって、ヒュージブルリンクユニットをさらにバッテリポストに近い位置に配することができ、ヒュージブルリンクユニットの揺動等を抑制できる。さらに、ヒュージブルリンクユニットが揺動したりヒュージブルリンクユニットに外力が加わったりした場合であっても、ヒュージブルリンクユニットを支える支点、即ちバッテリポストやバッテリ端子の一端部に作用する応力を低減して、バッテリポストやバッテリ端子等の折損を防止できる。
【００１９】
また、接続部がバッテリポストを覆うように配されるので、バッテリポストを覆う分、バッテリポストとヒュージブルリンクユニットの端部との間の距離をさらに短くできる。したがって、ヒュージブルリンクユニットをさらにバッテリポストに近い位置に配することができ、ヒュージブルリンクユニットの揺動等を抑制できる。
【００２０】
請求項２に記載された発明によれば、接続部からバッテリ端子の一端部に向かって突出して設けられ、バッテリ端子の一端部と当接可能な突部を備えているので、ヒュージブルリンクユニットは、バッテリ端子の一端部と他端部の２箇所で支持されてバッテリに接続される。したがって、ヒュージブルリンクユニットの揺動等をより確実に抑制できるとともに、ヒュージブルリンクユニットが揺動した場合であってもバッテリポストやバッテリ端子にかかる応力をさらに低減できる。
【００２１】
請求項３に記載された発明によれば、接続部からバッテリポストに向かって突出して設けられ、バッテリポストと当接可能な第２の突部を備えているので、ヒュージブルリンクユニットは、バッテリ端子とバッテリポストの２箇所で支持されてバッテリに接続される。したがって、ヒュージブルリンクユニットの揺動等をより確実に抑制できるとともに、ヒュージブルリンクユニットが揺動した場合であってもバッテリポストやバッテリ端子にかかる応力をさらに低減できる。
【００２２】
請求項４に記載された発明によれば、接続部が放熱板を備えているので、通電時に接続部やバッテリポストに発生する熱を効率的に外部に発散できる。したがって、大電流に対応可能なヒュージブルリンクユニットとすることができ、製品の適応範囲を拡大できる。
【発明を実施するための最良の形態】
【００２３】
以下、本発明の一実施形態にかかるヒュージブルリンクユニットの接続構造を図１ないし図５を参照して説明する。本発明の一実施形態にかかるヒュージブルリンクユニットの接続構造１は、図１及び図２に示すように、バッテリ２のバッテリポスト２２（図２）にバッテリ端子３（図２）を介してヒュージブルリンクユニット４を接続する構造である。ヒュージブルリンクユニットの接続構造１は、バッテリ２と、バッテリ端子３と、ヒュージブルリンクユニット４とを備えている。
【００２４】
バッテリ２は、図３に示すように、収容ケース２１と、一対のバッテリポスト（一方のみ図示する）２２とを少なくとも備えている。収容ケース２１は、絶縁性の合成樹脂等で構成されている。収容ケース２１は、略平板状の上蓋部２１ａと、有底角筒状のケース本体２１ｂとを備えている。ケース本体２１ｂの開口に上蓋部２１ａが取り付けられて、収容ケース２１が組み立てられる。収容ケース２１の内部には、互いに電気的に接続された複数のセル板等が収容されている。
【００２５】
一対のバッテリポスト２２は、それぞれ、略円柱状に形成されている。一対のバッテリポスト２２は、それぞれ、上蓋部２１ａを貫通して、バッテリ２の上面２ａから突出している。一対のバッテリポスト２２は、それぞれ、一端部が収容ケース２１外に配され、他端部が収容ケース２１内に配されている。一対のバッテリポスト２２は、収容ケース２１内に収容された複数のセル板のうち両端に位置するセル板と電気的に接続されている。一対のバッテリポスト２２のうち一方のバッテリポスト２２（以下、単にバッテリポスト２２という）には、バッテリ端子３が接続され、バッテリ端子３を介してヒュージブルリンクユニット４が接続される。
【００２６】
バッテリ端子３は、導電性の板金等を折り曲げる等して形成されている。バッテリ端子３は、図２及び図３に示すように、端子本体３０と、バッテリ用孔３１と、ボルト３２及びナット３３（図２）と、スタッドボルト用孔３４（図３）と、スタッドボルト３５とを備えている。
【００２７】
端子本体３０は、図３に示すように、一対の平板部３６ａ、３６ｂと、これら平板部３６ａ、３６ｂの長手方向の一端部同士を互いに連結する連結部３７と、係合爪３８（図２）とを備えている。一対の平板部３６ａ、３６ｂは、平板状に形成され、互いに間隔をあけて互いに平行に設けられている。バッテリ端子３がバッテリ２に接続されると、一対の平板部３６ａ、３６ｂはバッテリ２の上面２ａと平行に配され、一方の平板部３６ａはバッテリ２の上面２ａから離れた位置に配されて、他方の平板部３６ｂはバッテリ２の上面２ａ寄りに配される。
【００２８】
連結部３７は、断面形状がＵ字状に形成されている。連結部３７の長手方向中央には、この連結部３７を分断する隙間３７ａ（図２）が形成されている。係合爪３８は、一対の平板部３６ａ、３６ｂの幅方向両端部に設けられている。係合爪３８は、一対の平板部３６ａ、３６ｂの互いに相対する端部から互いに近づく方向に突出している。係合爪３８が互いに係合することによって、一対の平板部３６ａ、３６ｂは互いに間隔をあけて互いに平行な状態で保持される。
【００２９】
バッテリ用孔３１は、バッテリ端子３の長手方向（図２中、上下方向）の一端部３ａに設けられている。バッテリ用孔３１は、平面形状が円状に形成され、一対の平板部３６ａ、３６ｂの連結部３７寄りを貫通している。バッテリ用孔３１は、一方の平板部３６ａを貫通した孔と他方の平板部３６ｂを貫通した孔とが連通して形成されている。バッテリ用孔３１は、内部にバッテリポスト２２を通す。
【００３０】
ボルト３２は、略円柱状の軸部と、該軸部の一端に形成された平面矩形状の頭部とを一体に備えている。軸部には、ねじ溝が形成されている。ボルト３２は、軸部が連結部３７の内側に収容され、頭部と軸部の先端とが連結部３７から突出するように、端子本体３０に取り付けられる。ナット３３は、連結部３７から突出した軸部の先端にねじ込まれる。ナット３３が軸部の先端にねじ込まれることによって、ボルト３２の頭部とナット３３との間隔が調節されて連結部３７の隙間３７ａが調節され、バッテリ用孔３１の内径が調節される。
【００３１】
スタッドボルト用孔３４は、バッテリ端子３の前述した一端部３ａと反対側の他端部３ｂに設けられている。スタッドボルト用孔３４は、平面形状が円状に形成され、前述した一方の平板部３６ａを貫通している。スタッドボルト用孔３４は、バッテリ用孔３１よりも連結部３７から離れた側に設けられている。スタッドボルト用孔３４は、内部にスタッドボルト３５を通す。
【００３２】
スタッドボルト３５は、バッテリ端子３の他端部３ｂに設けられている。スタッドボルト３５は、略円柱状の軸部と、該軸部の一端に連なる頭部とを一体に備えている。スタッドボルト３５は、軸部がスタッドボルト用孔３４に通されかつ頭部が一対の平板部３６ａ、３６ｂの間に挟持されて、端子本体３０に固定されている。バッテリ端子３がバッテリ２に接続されると、軸部はバッテリ２の上面２ａから突出するように配される。
【００３３】
前述したバッテリ端子３は、バッテリ用孔３１内にバッテリポスト２２が通されて、一端部３ａがバッテリポスト２２即ちバッテリ２と接続される。また、バッテリ端子３は、スタッドボルト３５がヒュージブルリンクユニット４の後述する接続孔４５内に通されて、他端部３ｂがヒュージブルリンクユニット４に接続される。
【００３４】
このとき、図２に示すように、平面視においてバッテリ端子３の他端部３ｂは、バッテリポスト２２よりもバッテリ２の内側（バッテリ２の上面２ａの中心側）に配されるので、バッテリ端子３の長さ（バッテリ用孔３１の中心とスタッドボルト３５の中心との間の長さ）Ｌは、バッテリポスト２２とヒュージブルリンクユニット４の端部との間の距離Ｄに影響を及ぼさない。
【００３５】
ヒュージブルリンクユニット４は、図３に示すように、全体として略Ｌ字状に形成されている。ヒュージブルリンクユニット４は、導体部４０と、被覆部５０とを備えている。導体部４０は、電源用バスバ４１と、オルタネータ用バスバ４２と、複数の接続用バスバ（図示せず）と、可溶体４４とを備えている。
【００３６】
電源用バスバ４１は、導電性の板金を折り曲げる等して形成されている。電源用バスバ４１は、被覆部５０の後述する水平部５１にインサート成形されている。電源用バスバ４１は、第１の平板片４１ａと、該第１の平板片４１ａの端部から立設した連結片４１ｂと、該連結片４１ｂの端部から第１の平板片４１ａと離れる方向に立設した第２の平板片４１ｃとを備え、階段状に形成されている。
【００３７】
第１の平板片４１ａには、該第１の平板片４１ａの中央を貫通した接続孔４５が設けられている。接続孔４５は、平面形状が円状に形成され、内部にバッテリ端子３のスタッドボルト３５を通す。接続孔４５内に通されたスタッドボルト３５に図示しないナットがねじ込まれて、ヒュージブルリンクユニット４がバッテリ端子３に固定される。
【００３８】
第２の平板片４１ｃは、第１の平板片４１ａと平行に設けられている。ヒュージブルリンクユニット４がバッテリ２に接続されると、第１の平板片４１ａと第２の平板片４１ｃとは、バッテリ２の上面２ａと平行に配され、第１の平板片４１ａはバッテリ２の上面２ａ寄りに配され、第２の平板片４１ｃはバッテリ２の上面２ａから離れた側に配される。さらに、第２の平板片４１ｃは、バッテリポスト２２を覆うように該バッテリポスト２２の上方に配される。
【００３９】
オルタネータ用バスバ４２は、導電性の板金を折り曲げる等して形成されている。オルタネータ用バスバ４２は、被覆部５０の後述する下垂部５２にインサート成形されている。オルタネータ用バスバ４２は、Ｌ字状に形成され、一端がバッテリ２の上面２ａと平行に配され、他端がバッテリ２の側面２ｂと平行に配されている。オルタネータ用バスバ４２には、前述した一端を貫通した接続孔４６（図１）が設けられている。
【００４０】
接続孔４６は、平面形状が円状に形成され、内部にボルト４７を通す。このボルト４７は、被覆部５０にインサート成形され、図示しないオルタネータに接続された電線と端子金具を介して接続される。オルタネータ用バスバ４２の他端は、被覆部５０の後述する下垂部５２の端部に突出する。
【００４１】
接続用バスバは、導電性の板金を折り曲げる等して形成されている。接続用バスバは、被覆部５０の後述する下垂部５２にインサート成形されている。接続用バスバは、複数（本実施形態のヒュージブルリンクユニット４においては２つ）設けられている。接続用バスバは、それぞれ、Ｌ字状に形成され、一端がバッテリ２の上面２ａと平行に配され、他端がバッテリ２の側面２ｂと平行に配されている。接続用バスバの他端は、被覆部５０の後述する下垂部５２の端部に突出する。
【００４２】
可溶体４４は、複数（図示例では２つ）設けられている。可溶体４４は、一対の連結片と、一対の連結片の間に配置された溶断片とを一体に備えている。一方の可溶体４４において、一方の連結片は電源用バスバ４１の第２の平板片４１ｃと接続され、他方の連結片は一方の接続用バスバの前述した一端と接続される。他方の可溶体４４において、一方の連結片は、電源用バスバ４１の第２の平板片４１ｃと接続され、他方の連結片はオルタネータ用バスバ４２及び他方の接続用バスバの前述した一端と接続される。他方の可溶体４４は、一方の可溶体４４よりも電流容量が大きい。
【００４３】
溶断片は、比較的融点の低い金属等から形成され、ヒュージブルリンクユニット４に過電流が流れた際に自己発熱によって溶断する。溶断片が溶断することによって、電源用バスバ４１とオルタネータ用バスバ４２または接続用バスバとの電気的な接続が絶たれ、過電流による事故等を防止する。
【００４４】
被覆部５０は、ナイロン樹脂やポリプロピレン樹脂等の比較的耐熱性の高い合成樹脂等で構成されている。被覆部５０は、前述した導体部４０を被覆する。被覆部５０は、図３等に示すように、水平部５１と下垂部５２とを一体に備えている。水平部５１は、電源用バスバ４１を被覆する。水平部５１は、複数の露出部５３、５４と、突部５６と、第２の突部５７と、放熱板５８とを備えている。
【００４５】
露出部５３は、第１の平板片４１ａを被覆した水平部５１の両面を一部切り欠いている。露出部５３は、第１の平板片４１ａの接続孔４５及び接続孔４５近傍を外部に露出させる。露出部５４は、平面形状が円状に形成されている。露出部５４は、第２の平板片４１ｃを被覆した水平部５１のバッテリ２寄りの外表面に設けられ、該外表面の中央に設けられている。露出部５４は、第２の平板片４１ｃのバッテリ２寄りの外表面を外部に露出させる。露出部５４は、水平部５１に凹部５５を形成する。この凹部５５内にバッテリポスト２２の先端が位置付けられる。
【００４６】
突部５６は、図３に示すように、前述した凹部５５の外縁から突出して設けられ、該外縁の下垂部５２寄りに設けられている。突部５６は、凹部５５即ちバッテリポスト２２よりも下垂部５２寄りに設けられている。凹部５５内には、バッテリ端子３のバッテリ用孔３１内に通されたバッテリポスト２２が位置付けられる。このため、突部５６は、バッテリ端子３のバッテリ用孔３１の外縁、即ち、バッテリ端子３の一端部３ａに向かって突出して設けられている。突部５６は、図３及び図４に示すように、ヒュージブルリンクユニット４がバッテリポスト２２にバッテリ端子３を介して接続された際に、バッテリ端子３の連結部３７に当接可能な突出量に形成されている。
【００４７】
第２の突部５７は、図３及び図５に示すように、凹部５５の内周面から凹部５５の中心に向かって突出して設けられている。凹部５５内にはバッテリポスト２２が位置付けられる。このため、第２の突部５７はバッテリポスト２２に向かって突出して設けられている。第２の突部５７は、凹部５５の周方向に沿って、互いに等間隔をあけて複数（図示例では８つ）設けられている。第２の突部５７は、凹部５５内にバッテリポスト２２が位置付けられた際にバッテリポスト２２の外周面と当接可能な突出量に形成されている。
【００４８】
放熱板５８は、図１に示すように、帯板状（リブ状）に形成されている。放熱板５８は、第２の平板片４１ｃを被覆した水平部５１のバッテリ２から離れた外表面から突出している。放熱板５８は、バッテリ２の側面２ｂと直交する方向（第２の平板片４１ｃから第１の平板片４１ａに向かう方向）に沿って複数設けられている。複数の放熱板５８は、互いに間隔をあけて互いに平行に設けられている。
【００４９】
前述した水平部５１と電源用バスバ４１とは、接続部５９を構成する。接続部５９は、図３に示すように、バッテリポスト２２を覆うように配されるとともに、電源用バスバ４１の接続孔４５内にスタッドボルト３５が通されてバッテリ端子３の他端部３ｂに接続される。このように、接続部５９がバッテリポスト２２を覆うように配されるので、その分のバッテリポスト２２とヒュージブルリンクユニット４の端部との間の距離Ｄを短くできる。なお、本実施形態においては、電源用バスバ４１がバッテリポスト２２の上方に配され可溶体４４がバッテリ２の側面２ｂの上方に配されているが、可溶体４４を図３中でバッテリポスト２２側に設けて、可溶体４４をバッテリポスト２２の上方に配するようにしてもよい。これによって、前記距離Ｄをさらに短くできる。
【００５０】
下垂部５２は、オルタネータ用バスバ４２、接続用バスバやボルト４７を被覆する。下垂部５２は、図３に示すように、露出部６１、６２と、フード部６３とを備えている。露出部６１は、可溶体４４近傍の下垂部５２の両面を切り欠いて形成されて、可溶体４４を外部に露出させる。露出部６１には、図示しない透明カバー等が取り付けられる。露出部６２は、オルタネータ用バスバ４２の前述した一端を被覆した下垂部５２を一部切り欠いている。露出部６２は、オルタネータ用バスバ４２の接続孔４６及び接続孔４６近傍を外部に露出させる。
【００５１】
フード部６３は、下垂部５２の端部に設けられている。フード部６３は、下方（図３中、下方向）に向かって開口している。フード部６３内には、オルタネータ用バスバ４２や接続用バスバの前述した他端が突出する。フード部６３と、オルタネータ用バスバ４２や接続用バスバの前述した他端とはコネクタ部６４を形成する。コネクタ部６４は、オルタネータや各種の電子機器等に接続された電線の端末に取り付けられたコネクタと嵌合して、ヒュージブルリンクユニット４と前記電線とを電気的に接続する。
【００５２】
前述した構成のヒュージブルリンクユニット４をバッテリ２のバッテリポスト２２に接続する際には、まず、バッテリ端子３のバッテリ用孔３１内にバッテリポスト２２を通し、ボルト３２にナット３３をねじ込んで、バッテリ端子３をバッテリ２に接続する（取り付ける）。また、ヒュージブルリンクユニット４のコネクタ部６４に、電線の端末に取り付けられたコネクタを嵌合させて、ヒュージブルリンクユニット４と電子機器等を接続する。
【００５３】
その後、ヒュージブルリンクユニット４をバッテリ２に近づけていき、水平部５１をバッテリ２の上面２ａに配し、下垂部５２をバッテリ２の側面２ｂに配する。そして、凹部５５内にバッテリポスト２２を位置付けるようにヒュージブルリンクユニット４をバッテリ２に取り付ける。その後、接続孔４５内にスタッドボルト３５を通し、スタッドボルト３５に図示しないナットをねじ込んで、ヒュージブルリンクユニット４をバッテリ端子３に接続する（取り付ける）。
【００５４】
このとき、ヒュージブルリンクユニット４の接続部５９は、バッテリポスト２２の上方に配されてバッテリポスト２２を覆うように配される。そして、突部５６がバッテリポスト２２に接続されたバッテリ端子３の一端部３ａ（連結部３７）に当接し、第２の突部５７が凹部５５内のバッテリポスト２２の外周面と当接する。
【００５５】
そして、ヒュージブルリンクユニット４のボルト４７にオルタネータの電線の端子金具を接続しナットをねじ込んで、ヒュージブルリンクユニット４にオルタネータを接続する。なお、オルタネータが小容量の場合には、コネクタ部６４を介してオルタネータを接続してもよい。
【００５６】
以上のようにバッテリ２に接続されたヒュージブルリンクユニット４は、電源用バスバ４１に供給されたバッテリ２からの電力を、可溶体４４を介してそれぞれの接続用バスバに接続された電線に出力する。このように、ヒュージブルリンクユニット４は、バッテリ２からの電力をそれぞれの電線に接続された電子機器等に分配するとともに、該電子機器等に過度な電力が供給されることを防止する。また、ヒュージブルリンクユニット４は、オルタネータ用バスバ４２に供給されたオルタネータからの電力を、可溶体４４を介して電源用バスバ４１に出力して、バッテリ２を充電する。
【００５７】
本実施形態によれば、バッテリ端子３の一端部３ａがバッテリポスト２２と接続され、平面視において他端部３ｂがバッテリポスト２２よりもバッテリ２の内側に配されるので、バッテリ端子３の長さＬがバッテリポスト２２とヒュージブルリンクユニット４の端部との間の距離Ｄに影響を及ぼすことがない。
【００５８】
したがって、バッテリポスト２２がバッテリ２の側面２ｂに近い位置に配されたバッテリ２であっても、ヒュージブルリンクユニット４をさらにバッテリポスト２２に近い位置に配することができ、ヒュージブルリンクユニット４の揺動等を抑制できる。さらに、ヒュージブルリンクユニット４が揺動したりヒュージブルリンクユニット４に外力が加わったりした場合であっても、ヒュージブルリンクユニット４を支える支点、即ちバッテリポスト２２やバッテリ端子３（の一端部３ａ）に作用する応力を低減して、バッテリポスト２２やバッテリ端子３等の折損を防止できる。このため、例えば、前述したようにバッテリ２に接続されたヒュージブルリンクユニット４のボルト４７にオルタネータを接続してナットをねじ込む際のトルク幅を拡大でき、製品の適用範囲を拡大できる。
【００５９】
また、接続部５９がバッテリポスト２２を覆うように配されるので、バッテリポスト２２を覆う分、バッテリポスト２２とヒュージブルリンクユニット４の端部との間の距離Ｄをさらに短くできる。したがって、ヒュージブルリンクユニット４をさらにバッテリポスト２２に近い位置に配することができ、ヒュージブルリンクユニット４の揺動等を抑制できる。
【００６０】
また、接続部５９からバッテリ端子３の一端部３ａに向かって突出して設けられ、バッテリ端子３の一端部３ａと当接可能な突部５６を備えているので、ヒュージブルリンクユニット４は、バッテリ端子３の一端部３ａと他端部３ｂの２箇所で支持されてバッテリ２に接続される。したがって、ヒュージブルリンクユニット４の揺動等をより確実に抑制できるとともに、ヒュージブルリンクユニット４が揺動した場合であってもバッテリポスト２２やバッテリ端子３にかかる応力をさらに低減できる。また、突部５６は前述したように合成樹脂等で構成されているので、ヒュージブルリンクユニット４の揺動を減衰させる効果もある。さらに、突部５６が前述した支点よりも下垂部５２寄りの位置でヒュージブルリンクユニット４を支持するので、該支点に作用する応力をさらに低減させることができる。
【００６１】
また、接続部５９からバッテリポスト２２に向かって突出して設けられ、バッテリポスト２２と当接可能な第２の突部５７を備えているので、ヒュージブルリンクユニット４は、バッテリ端子３とバッテリポスト２２の２箇所で支持されてバッテリ２に接続される。したがって、ヒュージブルリンクユニット４の揺動等をより確実に抑制できるとともに、ヒュージブルリンクユニット４が揺動した場合であってもバッテリポスト２２やバッテリ端子３にかかる応力をさらに低減できる。さらに、第２の突部５７は前述したように合成樹脂等で構成されているので、ヒュージブルリンクユニット４の揺動を減衰させる効果もある。
【００６２】
また、接続部５９が放熱板５８を備えているので、通電時に接続部５９やバッテリポスト２２等に発生する熱を効率的に外部に発散できる。したがって、大電流に対応可能なヒュージブルリンクユニット４とすることができ、製品の適応範囲を拡大できる。また、放熱板５８がバッテリ２から離れた外表面にバッテリ２の側面２ｂと直交する方向に設けられているので、ヒュージブルリンクユニット４の図３中の上方への揺動を抑制するとともに、ヒュージブルリンクユニット４の上方への鋼性を向上させることができる。
【００６３】
前述した実施形態においては、接続部５９がバッテリポスト２２を覆うように配されていたが、接続部５９は必ずしもこのように配されていなくてもよい。また、前述した実施形態においては、突部５６、第２の突部５７や放熱板５８が設けられていたが、これらは必ずしも設けられていなくてもよい。また、突部５６や第２の突部５７の形状は、本発明の目的に反しない限り、前述した実施形態の形状と異なるものであっても勿論よい。
【００６４】
例えば、突部５６の形状は、図６及び図７に示す突部５６Ａのような形状とされていてもよい。突部５６Ａの連結部３７と相対する外表面は、連結部３７の外表面と一致するような凹面５６ｂとされている（図６）。また、突部５６Ａには、バッテリ端子３の連結部３７の隙間３７ａに挿入される突出片５６ｃが設けられている（図７）。このような突部５６Ａとすることで、ヒュージブルリンクユニット４がバッテリ端子３に対して回転することがなく、スタッドボルト３５にナットをねじ込む際のトルクによるヒュージブルリンクユニット４の回転を防止できる。
【００６５】
なお、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００６６】
【図１】本発明の一実施形態にかかるヒュージブルリンクユニットの接続構造を示す上面図である。
【図２】図１に示されたヒュージブルリンクユニットを一部切り欠いた上面図である。
【図３】図１中のＩＩＩ−ＩＩＩ線に沿った断面図である。
【図４】図３に示された突部を拡大して示す正面図である。
【図５】図３中のＶ−Ｖ線に沿った断面図である。
【図６】図３に示された突部の変形例を示す正面図である。
【図７】図６に示された突部の正面図である沿った断面図である。
【符号の説明】
【００６７】
１    ヒュージブルリンクユニットの接続構造
２    バッテリ
３    バッテリ端子
３ａ    一端部
３ｂ    他端部
４    ヒュージブルリンクユニット
２２    バッテリポスト
５６、５６Ａ    突部
５７    第２の突部
５８    放熱板
５９    接続部
【図１】
0005318469.tif 000002
【図２】
0005318469.tif 000003
【図３】
0005318469.tif 000004
【図４】
0005318469.tif 000005
【図５】
0005318469.tif 000006
【図６】
0005318469.tif 000007
【図７】
0005318469.tif 000008